(57)【特許請求の範囲】
【請求項１】
外筐体と、前記外筐体の上面を覆うトッププレートと、前記トッププレート側に突出する凸部が形成され前記凸部上に前記トッププレートを載置するアンダーフレームと、を備え、
前記トッププレートには、前記トッププレートの裏面に印刷された無機顔料を配合したメタリック調印刷部と、前記メタリック調印刷部の表面に耐熱樹脂塗料を印刷した耐熱印刷部または／および前記トッププレートの裏面に耐熱樹脂塗料を印刷した耐熱印刷部と、を備え、
更に、前記トッププレートには、前記耐熱印刷部の表面にカーボンを含有する塗料を印刷して前記凸部と接触する位置に設けられるカーボン印刷部を備え、
前記トッププレートは、前記耐熱印刷部と前記アンダーフレームとの間の隙間に設けられる熱硬化性の接着剤を加熱して前記アンダーフレームに加熱接着される加熱調理器。
【請求項２】
加熱接着時に、前記アンダーフレームの熱膨張・収縮によって生じる前記トッププレートの裏面と前記凸部の摩擦力が低減するように前記カーボン印刷部を設けた請求項１に記載の加熱調理器。
【請求項３】
前記トッププレートには、前記カーボン印刷部と前記凸部との間に熱硬化性の接着剤を設ける請求項１または２に記載の加熱調理器。
【請求項４】
加熱調理動作を制御する制御部と、前記トッププレートの裏面にカーボンを含有する塗料が印刷されて形成され、前記制御部に加熱動作を制御する信号を入力するための電極部と、を備え、前記カーボン印刷部は、前記電極部と同時に印刷される請求項１〜３のいずれか１項に記載の加熱調理器。
【請求項５】
更に、前記アンダーフレームには、直線状の凸部を設け、その近傍に接着剤を塗布し、前記直線状の凸部に対して前記接着剤を塗布した側の反対側に前記接着剤がはみ出さないようにした請求項１〜４のいずれか１項に記載の加熱調理器。
【発明の詳細な説明】
【技術分野】
【０００１】
本発明は、一般家庭で使用する加熱調理器に関するものである。
【背景技術】
【０００２】
近年、台所で使用される加熱調理器として、火を使わない安全でクリーンな熱源である誘導加熱調理器が普及し始めている。この誘導加熱調理器に使用されるトッププレートについては、明るい系統の色調が目立つようになり、メタリック調のシルバーあるいはゴールドなどがよく見受けられるようになってきた。そのようなトッププレートを表面より見た際の色味は、裏面印刷の組み合わせで設計されるのが一般的である。
【０００３】
図５は従来の加熱調理器の部分断面拡大図である。以下、図５を参照して説明する。
【０００４】
図５に示すように、マイカ顔料等の無機顔料を含有したメタリック調印刷部２１の表面にシリコーン樹脂系、ポリアミド樹脂系、フッ素樹脂系、あるいはそれらの複合系の耐熱樹脂塗料を印刷した耐熱印刷部２２を形成し、二つの印刷部を重ねて、メタリック調の外観を得ることができる。メタリック調印刷部は一般的に印刷強度が弱く、耐熱印刷部２２を重ねるのはその保護の意味もある。
【０００５】
文字表示などについては、メタリック調印刷部２１を抜き文字とし、耐熱印刷部２２の色を利用して表現する。この場合、耐熱印刷部２２はトッププレート２３の裏面生地に直接印刷された状態となっている。
【０００６】
また、トッププレート２３は、アンダーフレーム２４に設けた複数の凸部２５により、その裏面を直接接触させて支持されており、トッププレート２３はアンダーフレーム２４との間の隙間２６に設けられた熱硬化性の接着剤２７を加熱してアンダーフレーム２４に接着される構成となっている（例えば、特許文献１参照）。
【先行技術文献】
【特許文献】
【０００７】
【特許文献１】特開２００９−２１６３１６号公報
【発明の概要】
【発明が解決しようとする課題】
【０００８】
しかしながら、前記従来の構成では、トッププレート２３とアンダーフレーム２４とを接着剤２７を用いて加熱接着するという条件において、金属であるアンダーフレーム２４が熱膨張・収縮し、トッププレート２３の裏面と接触するアンダーフレーム２４の凸部２５とトッププレート２３の裏面で相対移動が生じ、トッププレート２３の耐熱印刷部２２は、アンダーフレーム２４の凸部２５に凝着し、メタリック調印刷部２１またはトッププレート２３の裏面生地との剥離が生じる恐れがあるということがわかった。
【０００９】
つまり、剥離が生じた場合には、その箇所は、周辺とは外観的な色味が変わり、あたかも傷が付いたように見え、外観不良になるという課題があった。
【００１０】
本発明は、前記従来の課題を解決するもので、加熱接着時のアンダーフレーム２４の熱膨張・収縮によるトッププレート２３の裏面印刷の損傷を防止する加熱調理器を提供することを目的とする。
【課題を解決するための手段】
【００１１】
前記従来の課題を解決するために、本発明の加熱調理器は、外筐体と、前記外筐体の上面を覆うトッププレートと、前記トッププレート側に突出する凸部が形成され前記凸部上に前記トッププレートを載置するアンダーフレームと、を備え、前記トッププレートには、前記トッププレートの裏面に印刷された無機顔料を配合したメタリック調印刷部と、前記メタリック調印刷部の表面に耐熱樹脂塗料を印刷した耐熱印刷部または／および前記トッププレートの裏面に耐熱樹脂塗料を印刷した耐熱印刷部と、を備え、更に、前記トッププレートには、前記耐熱印刷部の表面にカーボンを含有する塗料を印刷して前記凸部と接触する位置に設けられるカーボン印刷部を備え、前記トッププレートは、前記耐熱印刷部と前記アンダーフレームとの間の隙間に設けられる熱硬化性の接着剤を加熱して前記アンダーフレームに加熱接着される構成としたものである。
【００１２】
これによって、凸部はトッププレート裏面のカーボンを含有するカーボン印刷部と接触し、加熱接着時にアンダーフレームの熱膨張・収縮によって生じるトッププレート裏面と凸部の摩擦力が低減するとともに、耐熱印刷部を保護するので、耐熱印刷部とメタリック調印刷部または耐熱印刷部とトッププレート裏面生地の剥離が発生せず、裏面印刷の損傷を防止することができる。
【発明の効果】
【００１３】
本発明の加熱調理器は、加熱接着時のアンダーフレームの熱膨張・収縮によるトッププレートの裏面印刷の損傷を防止することができる。
【図面の簡単な説明】
【００１４】
【図１】本発明の実施の形態１における加熱調理器の斜視図
【図２】本発明の実施の形態１における加熱調理器の断面図
【図３】本発明の実施の形態１、２、３における加熱調理器の部分断面拡大図
【図４】本発明の実施の形態１における加熱調理器の部分断面拡大図
【図５】従来の加熱調理器の部分断面拡大図
【発明を実施するための形態】
【００１５】
第１の発明は、外筐体と、前記外筐体の上面を覆うトッププレートと、前記トッププレート側に突出する凸部が形成され前記凸部上に前記トッププレートを載置するアンダーフレームと、を備え、前記トッププレートには、前記トッププレートの裏面に印刷された無機顔料を配合したメタリック調印刷部と、前記メタリック調印刷部の表面に耐熱樹脂塗料を印刷した耐熱印刷部または／および前記トッププレートの裏面に耐熱樹脂塗料を印刷した耐熱印刷部と、を備え、更に、前記トッププレートには、前記耐熱印刷部の表面にカーボンを含有する塗料を印刷して前記凸部と接触する位置に設けられるカーボン印刷部を備え、前記トッププレートは、前記耐熱印刷部と前記アンダーフレームとの間の隙間に設けられる熱硬化性の接着剤を加熱して前記アンダーフレームに加熱接着される構成とすることにより、前記凸部は前記カーボン印刷部と接触し、加熱接着時に前記アンダーフレームの熱膨張・収縮によって生じる前記トッププレート裏面と前記凸部の摩擦力が低減するとともに、前記耐熱印刷部を保護するので、前記耐熱印刷部と前記メタリック調印刷部または前記耐熱印刷部と前記トッププレート裏面生地の剥離が発生せず、裏面印刷の損傷を防
止することができる。
【００１６】
第２の発明は、特に、第１の発明において、加熱接着時に、前記アンダーフレームの熱膨張・収縮によって生じる前記トッププレートの裏面と前記凸部の摩擦力が低減するように前記カーボン印刷部を設けた構成とすることにより、加熱接着時に前記アンダーフレームの熱膨張・収縮によって生じる前記トッププレート裏面と前記凸部の摩擦力が低減するとともに、前記耐熱印刷部を保護するので、前記耐熱印刷部と前記メタリック調印刷部または前記耐熱印刷部と前記トッププレート裏面生地の剥離が発生せず、裏面印刷の損傷を防止することができる。
【００１７】
第３の発明は、特に、第１または第２の発明の前記トッププレートには、前記カーボン印刷部と前記凸部との間に熱硬化性の接着剤を設ける構成とすることにより、トッププレート裏面と前記凸部の摩擦力が更に低減するとともに、耐熱印刷部を更に保護するので、裏面印刷の損傷をより一層防止することができる。
【００１８】
第４の発明は、特に、第１〜３のいずれか１つの発明において、加熱調理動作を制御する制御部と、トッププレートの裏面にカーボンを含有する塗料が印刷されて形成され、前記制御部に加熱動作を制御する信号を入力するための電極部と、を備え、前記カーボン印刷部は、前記電極部と同時に印刷される構成とすることにより、同じ印刷で電極印刷を形成できるので、版数を増やさずに安価に機能を追加できる。
【００１９】
第５の発明は、特に、第１〜４のいずれか１つの発明において、更に、前記アンダーフレームには、直線状の凸部を設け、その近傍に接着剤を塗布し、前記直線状の凸部に対して前記接着剤を塗布した側の反対側に前記接着剤がはみ出さないようにしたことにより、トッププレートとアンダーフレームに挟まれたときの接着剤の高さや幅などの接着状態のばらつきが低減し、接着力を安定化することができる。
【００２０】
以下、本発明の実施の形態について、図面を参照しながら説明する。なお、この実施の形態によって本発明が限定されるものではない。
【００２１】
（実施の形態１）
図１は本発明の第１の実施の形態における加熱調理器の斜視図、図２は本発明の第１の実施の形態における加熱調理器の断面図、図３は本発明の第１の実施の形態における加熱調理器の部分断面拡大図、図４は本発明の実施の形態１における加熱調理器の部分断面拡大図である。
【００２２】
図１〜３において、トッププレート１は透光性耐熱低膨張ガラスで形成されており、外筐体２の上面を覆っている。トッププレート１の下方に位置する加熱コイル３と、加熱コイル３に高周波電流を供給する制御部４が備えられており、トッププレート１の上で被加熱物５を加熱できるようになっている。
【００２３】
トッププレート１は、トッププレート１側に突出するようアンダーフレーム６に形成された凸部７上に載置し、その外周部をトップフレーム８とアンダーフレーム６で上下に挟み込み、熱硬化性の接着剤９で加熱接着により固定され、ユニット化されている。
【００２４】
この加熱接着は、トッププレート１やトップフレーム８、アンダーフレーム６に所定の温度と圧力を加えて、接着剤９を硬化させるものであるが、常温硬化型に比べ硬化速度が速く製造コスト的なメリットが大きいという特徴がある。
【００２５】
凸部７には、トッププレート１の載置、接着剤９を塗布するための隙間１０の形成、アンダーフレーム６の補強、接着剤９のはみ出し防止等の役割がある。凸部７は直線状に設けてあり、その近傍の隙間１０に接着剤９を塗布している。
【００２６】
トッププレート１は、裏面に印刷された無機顔料を配合したメタリック調印刷部１１と、メタリック調印刷部１１の表面に耐熱樹脂塗料を印刷した耐熱印刷部１２または／およびトッププレート１の裏面に耐熱樹脂塗料を印刷した耐熱印刷部１２とを備えている。
【００２７】
具体的な一例としては、マイカ顔料等の無機顔料を含有したメタリック調印刷部１１の表面にシリコーン樹脂系、ポリアミド樹脂系、フッ素樹脂系、あるいはそれらの複合系の耐熱樹脂塗料を印刷した耐熱印刷部１２を形成し、二つの印刷部を重ねて、メタリック調の外観を得ることができる。メタリック調印刷部１１は一般的に印刷強度が弱く、耐熱印刷部１２を重ねるのはその保護の意味もある。
【００２８】
ここで、無機顔料の種類、配合量および色調、あるいは、耐熱印刷部１２の色調等は設計者が任意に選択できるものであり、意匠性や隠蔽性を考慮して決定するものである。
【００２９】
文字表示などについては、メタリック調印刷部１１を抜き文字とし、耐熱印刷部１２の色を利用して表現する。この場合、耐熱印刷部１２はトッププレート１の裏面生地に直接印刷された状態となっている。（図４参照）
また、耐熱印刷部１２の表面にはカーボンを含有する塗料を印刷して凸部７と接する位置に設けられるカーボン印刷部１３を設けている。
【００３０】
また、トッププレート１の裏面にはカーボンを含有する塗料が印刷されて形成され、制御部４に加熱動作を制御する信号を入力するための電極部１４が備えられており、カーボン印刷部１３は、電極部１４と同時に印刷されている。
【００３１】
電極部１４と制御部４の電気的接続は接点端子１５により行われる。具体的には、各々の電極部１４に対応するトッププレート１上面のガラスタッチ式の操作部１６を指で触れると所定の操作ができる。
【００３２】
以上のように構成された加熱調理器について、以下その動作、作用を説明する。
【００３３】
まず、カーボン印刷部１３を設けたことにより、凸部７はカーボン印刷部１３と接触し、加熱接着時にアンダーフレーム６の熱膨張・収縮によって生じるトッププレート１の裏面と凸部７の摩擦力が低減するとともに、耐熱印刷部１２を保護するので、耐熱印刷部１２とメタリック調印刷部１１または耐熱印刷部１２とトッププレート１の裏面生地の剥離が発生せず、裏面印刷の損傷を防止することができる。
【００３４】
また、本実施の形態では、加熱動作を制御する制御部４と、トッププレート１の裏面にカーボンを含有する塗料が印刷されて形成され、制御部４に加熱動作を制御する信号を入力するための電極部１４と同時に印刷した構成とすることにより、カーボン印刷部１３と同じ印刷で電極部１４の印刷を形成できるので、版数を増やさずに安価に機能を追加できる。
【００３５】
また、本実施の形態では、凸部７を直線状に設け、その近傍の隙間１０に接着剤９を塗布しているので、凸部７に対して接着剤９を塗布した側の反対側に接着剤９がはみ出さず、トッププレート１とアンダーフレーム６に挟まれたときの接着剤９の高さや幅などの接着状態のばらつきが低減し、接着力を安定化することができる。
【００３６】
少なくとも、接着剤９の片側に直線状の凸部７があれば、この効果はあり、この場合、接着剤９に対し凸部７の反対側にはアンダーフレーム６とトッププレート１で接着剤９を挟み込むことができる程度の広い平面が必要である。これが不足すると、接着剤９がアンダーフレーム６の下側に垂れ落ち、安定した接着ができない。
【００３７】
もちろん、接着剤９の両側の近傍に直線状の凸部７が設けてあれば、さらに接着剤９の高さや幅などの接着状態のばらつきが低減し、接着力を安定化することができることはいうまでもない。
【００３８】
（実施の形態２）
図３は、本発明の実施の形態２における誘導加熱調理器を示すものである。
【００３９】
耐熱印刷部１２の表面にカーボンを含有する塗料を印刷して凸部７と接する位置に設けられるカーボン印刷部１３を有することに代え、凸部７とトッププレート１の裏面の間に熱硬化性の接着剤９を設ける構成としている。
【００４０】
以上のように構成された加熱調理器について、以下その動作、作用を説明する。
【００４１】
凸部７は接着剤９と接触し、加熱接着時にアンダーフレーム６の熱膨張・収縮によって生じるトッププレート１の裏面と凸部７の摩擦力が低減するとともに、耐熱印刷部１２を保護するので、耐熱印刷部１２とメタリック調印刷部１１または耐熱印刷部１２とトッププレート１の裏面生地の剥離が発生せず、裏面印刷の損傷を防止することができる。また、カーボン印刷部１３が不要となるので、版数も減り、コスト低減も可能になる。
【００４２】
（実施の形態３）
図３は、本発明の実施の形態３における誘導加熱調理器を示すものである。
【００４３】
本実施の形態では、実施の形態１の内容に加え、凸部７とトッププレート１の裏面の間に熱硬化性の接着剤９を設ける構成としている。
【００４４】
以上のように構成された加熱調理器について、以下その動作、作用を説明する。
【００４５】
カーボン印刷部１３を設け、かつ、凸部７とトッププレート１の裏面の間に熱硬化性の接着剤９を設けたことにより、凸部７は接着剤９を介してカーボン印刷部１３と接触し、加熱接着時にアンダーフレーム６の熱膨張・収縮によって生じるトッププレート１の裏面と凸部７の摩擦力が更に低減するとともに、耐熱印刷部１２を保護するので、耐熱印刷部１２とメタリック調印刷部１１または耐熱印刷部１２とトッププレート１の裏面生地の剥離が発生せず、裏面印刷の損傷をより一層防止することができる。
【産業上の利用可能性】
【００４６】
以上のように、本発明にかかる加熱調理器は、加熱接着時のアンダーフレームの熱膨張・収縮によるトッププレートの裏面印刷の損傷を防止することができるので、トッププレートを備えたガス調理器等の用途に有効である。
【符号の説明】
【００４７】
１、２３  トッププレート
２  外筐体
４  制御部
６、２４  アンダーフレーム
７、２５  凸部
９、２７  接着剤
１０、２６  隙間
１１、２１  メタリック調印刷部
１２、２２  耐熱印刷部
１３  カーボン印刷部
１４  電極部
【図１】
0005750569.tif 000002
【図２】
0005750569.tif 000003
【図３】
0005750569.tif 000004
【図４】
0005750569.tif 000005
【図５】
0005750569.tif 000006